(57)【要約】電子デバイスを保持するためのシステムは、平坦表面を有する本体部分、を含んでいる。システムは、更に、第１保持部片及び第２保持部片を含み、第１保持部片及び第２保持部片の各々は平坦表面に略垂直の保持表面を含んでいる。システムは、更に、第１保持部片と相互接続されている腕部を含み、腕部は本体部分の開口の中へ延びており、本体部分は、腕部を第１保持部片と第２保持部片の間に第１距離ができるような第１固定位置に保持するための機構を含み、機構は、更に、第１保持部片と第２保持部片の間に第１距離より小さい第２距離ができるような第２固定位置への腕部の位置付けを提供し、第１保持部片と第２保持部片は電子デバイスを保持するように相補的な形状をしている。【選択図】図１
2019514306.tif 000002
【特許請求の範囲】
【請求項１】
電子デバイスを保持するためのシステムであって、前記システムは、
平坦表面を有する本体部分と、
第１保持部片及び第２保持部片であって、各々が前記平坦表面に略垂直の保持表面を含んでいる第１保持部片及び第２保持部片と、
前記第１保持部片と相互接続されている腕部であって、当該腕部は前記本体部分の開口の中へ延びており、前記本体部分は、当該腕部を前記第１保持部片と前記第２保持部片の間に第１距離ができるような第１固定位置に保持するための機構を含み、前記機構は、更に、前記第１保持部片と前記第２保持部片の間に前記第１距離より小さい第２距離ができるような第２固定位置への当該腕部の位置付けを提供し、前記第１保持部片と前記第２保持部片は前記電子デバイスを保持するように相補的な形状をしている、腕部と、
を備えている、システム。
【請求項２】
前記機構は、前記腕部を前記第２固定位置に保持している急速解放レバーを含み、前記急速解放レバーが押し下げられると、前記機構は前記腕部を前記第１固定位置へ解放する、請求項１に記載のシステム。
【請求項３】
前記システムは、前記第１腕部の一端の腕部端を更に備えており、前記腕部端は第１歯付部分を含み、前記第１歯付部分は前記急速解放レバーの第２歯付部分と噛み合うように配置されている、請求項２に記載のシステム。
【請求項４】
前記システムは、ばね腕部を更に備えており、前記ばね腕部は前記急速解放レバーに押し当てて位置付けられ、前記急速解放レバーの前記第２歯付部分を前記腕部端の前記第１歯付部分に押し当てて保持しており、前記急速解放レバーは前記本体部分に枢動式に取り付けられていて、よって、ユーザーが前記急速解放レバーを押すと前記急速解放レバーが第１歯付部分から離れて自由になり前記急速解放レバーが動けるようになる、請求項３に記載のシステム。
【請求項５】
前記システムは、前記本体部分に取り付けられている歯車と、前記本体部分及び前記歯車と相互接続されているばねと、を更に備えており、前記歯車は前記腕部端の第３歯付部分と相互作用し、よって、前記腕部が前記本体部分に向けて押されると前記歯車が回転し回転エネルギーを前記ばねに集め、前記急速解放レバーが前記ばね腕部を押圧し一時的に前記第１歯付部分を前記第２歯付部分から解放し前記急速解放レバーがラチェット運動できるようにする、請求項４に記載のシステム。
【請求項６】
前記システムは第２腕部を更に備えており、前記第２腕部は第２腕部端を含み、前記第２腕部端は当該第２腕部端の第４歯付部分で以て前記歯車と相互作用する、請求項５に記載のシステム。
【請求項７】
前記第１腕部端及び前記第２腕部端は、それぞれ、第３腕部及び第４腕部を受け入れるための相補的な開口を含んでいて、前記第３腕部が前記第１腕部端の前記開口へ滑り入り、前記第４腕部が第２腕部端の前記開口へ滑り入るようにしている、請求項６に記載のシステム。
【請求項８】
前記第１保持部片及び前記第２保持部片の各々は、前記電子デバイスが保持されるときに圧縮し前記電子デバイスへ摩擦を提供する高摩擦材料の部片を含んでいる、請求項７に記載のシステム。
【請求項９】
前記本体部片へ付着されている磁性保持部、を更に備えている請求項８に記載のシステム。
【請求項１０】
前記磁性保持部は、半円形受け器の形状に相補的に馴染むように形成されている磁性環体を含んでいる、請求項９に記載のシステム。
【請求項１１】
前記磁性保持部は、前記磁性環体の周りに形成されている高摩擦材料の第１部片を更に含んでいる、請求項１０に記載のシステム。
【請求項１２】
前記磁性保持部は、前記磁性環体の中心に形成されている高摩擦材料の第１部片を更に含んでいる、請求項１０に記載のシステム。
【請求項１３】
前記第１腕部、前記第２腕部、前記第３腕部、及び前記第４腕部は、固定平面内で前記本体部分に滑り入り及び前記本体部分から滑り出る、請求項７に記載のシステム。
【請求項１４】
前記第１腕部及び前記第２腕部上に、前記第１保持部片に隣接して、スペーサ把持面を含むスペーサ、を更に備えている請求項８に記載のシステム。
【請求項１５】
電子デバイスを保持するためのシステムであって、前記システムは、
平坦表面を有する本体部分と、
第１保持部片及び第２保持部片であって、各々が前記平坦表面に略垂直の保持表面を含んでいる第１保持部片及び第２保持部片と、
前記第１保持部片と相互接続されている第１腕部及び前記第２保持部片と相互接続されている第２腕部であって、当該第１腕部及び当該第２腕部は前記本体部分の開口の中へ延びており、前記本体部分は、当該第１腕部及び当該第２腕部を前記第１保持部片と前記第２保持部片の間に第１距離ができるような第１固定位置に保持するための機構を含み、前記機構は、更に、前記第１保持部片と前記第２保持部片の間に前記第１距離より小さい第２距離ができるような第２固定位置への当該第１腕部及び当該第２腕部の位置付けを提供し、前記第１保持部片と前記第２保持部片は前記電子デバイスを保持するように相補的な形状をしている、第１腕部及び第２腕部と、
を備えている、システム。
【請求項１６】
前記機構は、前記第１腕部及び前記第２腕部を前記第２固定位置に保持している急速解放レバーを含み、前記急速解放レバーが押し下げられると、前記機構は前記第１腕部及び前記第２腕部を前記第１固定位置へ解放する、請求項１５に記載のシステム。
【請求項１７】
前記システムは、第１腕部の一端の第１腕部端と、第２腕部の一端の第２腕部端と、を更に備えており、前記第１腕部端と前記第２腕部端の各々は第１歯付部分及び第２歯付部分をそれぞれ含み、前記第１歯付部分は前記急速解放レバーの第２歯付部分と噛み合うように配置されている、請求項１６に記載のシステム。
【請求項１８】
前記システムは、ばね腕部を更に備えており、前記ばね腕部は前記急速解放レバーに押し当てて位置付けられ、前記急速解放レバーの前記第２歯付部分を前記第１腕部端の前記第１歯付部分に押し当てて保持しており、前記急速解放レバーは前記本体部分に枢動式に取り付けられていて、よって、ユーザーが前記急速解放レバーを押すと前記急速解放レバーが自由になって前記第１歯付部分から離れ前記急速解放レバーが動けるようになる、請求項１７に記載のシステム。
【請求項１９】
前記システムは、前記本体部分に取り付けられている歯車と、前記本体部分及び前記歯車と相互接続されているばねと、を更に備えており、前記歯車は前記第１腕部端の第３歯付部分及び前記第２腕部端の第４歯付部分と相互作用し、よって、前記第１腕部及び前記第２腕部が前記本体部分に向けて押されると前記歯車が回転し回転エネルギーを前記ばねに集め、前記急速解放レバーが前記ばね腕部を押圧し一時的に前記第１歯付部分を前記第２歯付部分から解放し前記急速解放レバーがラチェット運動できるようにする、請求項１８に記載のシステム。
【請求項２０】
前記第１腕部端及び前記第２腕部端は、それぞれ、第３腕部及び第４腕部を受け入れるための相補的な開口を含んでいて、前記第３腕部が前記第１腕部端の開口へ滑り入り、前記第４腕部が前記第２腕部端の開口へ滑り入るようにしている、請求項１９に記載のシステム。
【請求項２１】
前記第１保持部片及び前記第２保持部片の各々は、前記電子デバイスが保持されるときに圧縮し前記電子デバイスへ摩擦を提供する高摩擦材料の部片を含んでいる、請求項２０に記載のシステム。
【請求項２２】
前記システムは、前記本体部片へ付着されている磁性保持部を更に備えており、前記磁性保持部は、半円形受け器の形状に相補的に馴染むように形成されている磁性環体を含んでいる、請求項２１に記載のシステム。
【請求項２３】
前記磁性保持部は、前記磁性環体の周りに形成されている高摩擦材料の第１部片と、前記磁性環体の中心に形成されている高摩擦材料の第２部片と、を更に含んでいる、請求項２２に記載のシステム。
【請求項２４】
前記第１腕部、前記第２腕部、前記第３腕部、及び前記第４腕部は、固定平面内で前記本体部分に滑り入り及び前記本体部分から滑り出る、請求項２０に記載のシステム。
【発明の詳細な説明】
【技術分野】
【０００１】
本発明は調節可能な電子デバイス保持器のためのシステム及び方法に関する。
【背景技術】
【０００２】
[0001]スマートフォンの様な電子デバイスの使用は消費者によって至る所で見受けられる。ユーザーはスマートフォンをどこにでも携行するし、それらはあらゆるところで常に人々の身に着けられている。しかしながら、時として、スマートフォン（又は他の電子デバイス）を、ハンズフリー保持器に又はユーザーにスマートフォンを保持することを要求しない他の構成体に装着するのが望ましいこともある。この開示全体を通して、「スマートフォン」という用語が使用されることになるが、タブレット又は何らかの他の電子デバイスの様な他のデバイスも同様に、ここに記載のシステムと共に使用することができる。諸解決策が利用可能であるとはいえ、様々なサイズの電子デバイスをしっかり保持することができ且つ同電子デバイスを素早く解放することができる保持器を有することが望ましい。
【発明の概要】
【０００３】
[0002]１つの実施形態では、電子デバイスを保持するためのシステムは、平坦表面を有する本体部分を含んでいる。システムは、更に、第１保持部片及び第２保持部片を含み、第１保持部片及び第２保持部片の各々は平坦表面に略垂直の保持表面を含んでいる。システムは、更に、第１保持部片と相互接続されている腕部を含み、腕部は本体部分の開口の中へ延びており、本体部分は、腕部を第１保持部片と第２保持部片の間に第１距離ができるような第１固定位置に保持するための機構を含み、機構は、更に、第１保持部片と第２保持部片の間に第１距離より小さい第２距離ができるような第２固定位置への腕部の位置付けを提供し、第１保持部片と第２保持部片は電子デバイスを保持するように相補的な形状をしている。随意的には、機構は、腕部を第２固定位置に保持している急速解放レバーを含み、急速解放レバーが押し下げられると、機構は腕部を第１固定位置へ解放する。１つの代替形では、システムは、更に、第１腕部の一端の腕部端を含んでおり、腕部端は第１歯付部分を含み、第１歯付部分は急速解放レバーの第２歯付部分と噛み合うように配置されている。代替的には、システムは、更に、ばね腕部を含み、ばね腕部は急速解放レバーに押し当てて位置付けられ、急速解放レバーの第２歯付部分を腕部端の第１歯付部分に押し当てて保持しており、急速解放レバーは本体部分に枢動式に取り付けられていて、よって、ユーザーが急速解放レバーを押すと急速解放レバーが第１歯付部分から離れて自由になり急速解放レバーが動けるようになる。随意的には、システムは、更に、本体部分に取り付けられている歯車と、本体部分及び歯車と相互接続されているばねと、を含み、歯車は腕部端の第３歯付部分と相互作用し、よって、腕部が本体部分に向けて押されると歯車が回転し回転エネルギーをばねに集め、急速解放レバーがばね腕部を押圧し一時的に第１歯付部分を第２歯付部分から解放し急速解放レバーがラチェット運動できるようにする。１つの代替形では、システムは第２腕部を含み、第２腕部は第２腕部端を備え、第２腕部端は第２腕部端の第４歯付部分で以て歯車と相互作用する。代わりの代替形では、腕部端と第２腕部端は、それぞれ、第３腕部及び第４腕部を受け入れるための相補的な開口を含んでいて、第３腕部が第１腕部端の開口へ滑り入り、第４腕部が第２腕部端の開口へ滑り入るようにしている。随意的には、第１保持部片及び第２保持部片の各々は、電子デバイスが保持されるときに圧縮し電子デバイスへ摩擦を提供する高摩擦材料の部片を含んでいる。１つの構成では、システムは、更に、本体部片へ付着されている磁性保持部を含んでいる。随意的には、磁性保持部は、半円形受け器の形状に相補的に馴染むように形成されている磁性環体を含んでいる。代替的には、磁性保持部は、更に、磁性環体の周りに形成されている高摩擦材料の第１部片を含んでいる。１つの代替形では、磁性保持部は、更に、磁性環体の中心に形成されている高摩擦材料の第１部片を含んでいる。別の代替形では、第１腕部、第２腕部、第３腕部、及び第４腕部は、固定平面内で本体部分に滑り入り及び本体部分から滑り出る。
【０００４】
[0003]１つの実施形態では、電子デバイスを保持するためのシステムは、平坦表面を有する本体部分を含んでいる。システムは、更に、第１保持部片及び第２保持部片を含み、第１保持部片及び第２保持部片の各々は平坦表面に略垂直の保持表面を含んでいる。システムは、更に、第１保持部片と相互接続されている第１腕部及び第２保持部片と相互接続されている第２腕部を含み、第１腕部及び第２腕部は本体部分の開口の中へ延びており、本体部分は、第１腕部及び第２腕部を第１保持部片と第２保持部片の間に第１距離ができるような第１固定位置に保持するための機構を含み、機構は、更に、第１保持部片と第２保持部片の間に第１距離より小さい第２距離ができるような第２固定位置への第１腕部及び第２腕部の位置付けを提供し、第１保持部片と第２保持部片は電子デバイスを保持するように相補的な形状をしている。随意的には、機構は、第１腕部及び第２腕部を第２固定位置に保持している急速解放レバーを含み、急速解放レバーが押し下げられると、機構は第１腕部及び第２腕部を第１固定位置へ解放する。１つの代替形では、システムは、更に、第１腕部の一端の第１腕部端と、第２腕部の一端の第２腕部端と、を含んでおり、第１腕部端と第２腕部端の各々は第１歯付部分及び第２歯付部分をそれぞれ含み、第１歯付部分は急速解放レバーの第２歯付部分と噛み合うように配置されている。別の代替形では、システムは、ばね腕部を含み、ばね腕部は急速解放レバーに押し当てて位置付けられ、急速解放レバーの第２歯付部分を第１腕部端の第１歯付部分に押し当てて保持しており、急速解放レバーは本体部分に枢動式に取り付けられていて、よって、ユーザーが急速解放レバーを押すと急速解放レバーが第１歯付部分から離れて自由になり急速解放レバーが動けるようになる。更に別の代替形では、システムは、本体部分に取り付けられている歯車と、本体部分及び歯車と相互接続されているばねと、を含み、歯車は第１腕部端の第３歯付部分及び第２腕部端の第４歯付部分と相互作用し、よって、第１腕部及び第２腕部が本体部分に向けて押されると歯車が回転し回転エネルギーをばねに集め、急速解放レバーがばね腕部を押圧し一時的に第１歯付部分を第２歯付部分から解放し急速解放レバーがラチェット運動できるようにする。随意的には、第１腕部端と第２腕部端は、それぞれ、第３腕部及び第４腕部を受け入れるための相補的な開口を含んでいて、第３腕部が第１腕部端の開口へ滑り入り、第４腕部が第２腕部端の開口へ滑り入るようにしている。代替的には、第１保持部片及び第２保持部片の各々は、電子デバイスが保持されるときに圧縮し電子デバイスへ摩擦を提供する高摩擦材料の部片を含んでいる。随意的には、システムは、更に、本体部片へ付着されている磁性保持部を含んでおり、磁性保持部は、半円形受け器の形状に相補的に馴染むように形成されている磁性環体を含んでいる。１つの代替形では、磁性保持部は、更に、磁性環体の周りに形成されている高摩擦材料の第１部片と、磁性環体の中心に形成されている高摩擦材料の第２部片を含んでいる。随意的には、第１腕部、第２腕部、第３腕部、及び第４腕部は、固定平面内で本体部分に滑り入り及び本体部分から滑り出る。
【図面の簡単な説明】
【０００５】
【図１】[0004]急速解放機能を有する調節可能な電子デバイス保持器の１つの実施形態の前方斜視図を示している。
【図２】[0005]図１の急速解放機能を有する調節可能な電子デバイス保持器の後方斜視図を示している。
【図３】[0006]図１の急速解放機能を有する調節可能な電子デバイス保持器の分解図を示している。
【図４】[0007]図１の急速解放機能を有する調節可能な電子デバイス保持器の後本体部片の図を示している。
【図５】[0008]図１の急速解放機能を有する調節可能な電子デバイス保持器の前面図を示している。
【図６】[0009]図１の急速解放機能を有する調節可能な電子デバイス保持器の後面図を示している。
【図７】[0010]図１の急速解放機能を有する調節可能な電子デバイス保持器の下面図を示している。
【図８】[0011]図１の急速解放機能を有する調節可能な電子デバイス保持器の上面図を示している。
【図９】[0012]調節可能な電子デバイス保持器の或る代わりの実施形態を示している。
【発明を実施するための形態】
【０００６】
[0013]ここでは、特定の用語遣いは、便宜上使用されているにすぎず、急速解放機能を有する調節可能な電子デバイス保持器のためのシステム及び方法の実施形態に関する限定と受け取られてはならない。図面中、同じ符号は、幾つかの図を通して同じ要素を表すのに用いられている。
【０００７】
[0014]図１は、急速解放機能を有する調節可能な電子デバイス保持器１００（ＡＥＤＨ１００）の前方斜視図を示している。概して、ＡＥＤＨ１００は中央ハウジング１０５を含んでいる。中央ハウジング１０５は、異なるサイズの電子デバイスを保持するようにＡＥＤＨ１００の調節を可能にするため、調節機構、ラチェット機構、及びロック機構を含んでいる。中央ハウジング１０５からは、１本又はそれ以上の腕部１１０が延びている。図示の実施形態では、４本の腕部１１０が含まれている。２本一組の腕部１１０の各組の端には保持部片１２０が含まれている。保持部片１２０は、保持部片１２０同士を互いに向けてラチェット運動させて保持配列に入れたときに両保持部片１２０の間に設置されたスマートフォンを保持し押圧する働きをする。言及されている様に、１本又はそれ以上の腕部１１０はＡＥＤＨ１００の一部として含まれることができる。一部の実施形態では、単一腕部１１０が含まれていてもよい。その様な実施形態では、保持部片１２０の一方が固定されていて、他方の保持部片１２０が単一腕部１１０へ付着されていてラチェット運動式に入ったり出たりするようになっていてもよい。電子デバイスを保持する場合の安定性のためだけでなく保持の強度のためにも、図１に示されている実施形態が望ましいであろう。概して、腕部１１０は中央ハウジング１０５に収納されているラチェットシステムと解説されている様に相互作用する。加えて、示されている様に、各保持部片１２０は把持区域１２５を含むことができる。把持区域１２５は、概して、圧縮性材料で構成されている。把持区域１２５は、図示の様に輪郭付けされていてもよいし、又は材料の圧縮性を高め尚且つ材料によって供与される摩擦を増加させる様々な他の様式であってもよい。把持区域１２５は、ＴＰＲ（熱可塑性ゴム）４０ショアＡオーバーモールドであってもよい。把持区域１２５は、ＴＰＲ（熱可塑性ゴム）５乃至１００ショアＡオーバーモールドであってもよい。代わりに、シリコン、ゴム、及び他の材料を使用することもできる。
【０００８】
[0015]図１は、急速解放レバー１３０も示している。レバー１３０を作動させると、腕部１１０は中央ハウジング１０５に収納されているラチェット機構によって解放され、保持部片１２０によって保持されているスマートフォンを取り外せるようになる。
【０００９】
[0016]図２はＡＥＤＨ１００の後方斜視図を示している。この図には、磁性付着機構２１０が示されている。代わりの実施形態では、他の付着機構を利用することもできる。図示の実施形態では、磁性付着機構２１０が、外側の高摩擦環体２２０と、磁性環体２３０と、内側の高摩擦表面２４０と、を含んでいる。磁性付着機構２１０は、磁気特性を有する丸みのある表面へ付着するように設計されている。多くの構成では、ＡＥＤＨ１００を相補的に接続させる球状又は半球状架台が提供されている。球状又は半球状架台は、テーブル、自動車のダッシュボード、又は他の場所へ接続したり立たせたりするためのスタンド又は他のコネクタへ付着させることができる。随意的に、磁性付着機構２１０は任意の磁性表面へ付着されてもよい。一部の代替形では、クランプ、クリップ、又は他の付着機構を含め、異なる付着機構がＡＥＤＨ１００の背面に取り付けられていてもよい。
【００１０】
[0017]図３はＡＥＤＨ１００の分解図を示している。ここでは、ラチェットとロックを提供する内側の仕組みの多くが視認できる。中央ハウジング１０５は前本体部片３１０と後本体部片３０５を含んでいる。急速解放レバー３５０（ＡＫＡ１３０）が示されている。急速解放レバー３５０は後本体部片３０５のペグに嵌る開口３５２を有している。急速解放レバー３５０は、更に、腕部端３２０の歯付部３３０と相互作用する歯付部３５１を含んでいる。動作時、この相互作用は、急速解放レバーが押し下げられるまでは腕部が外方に動くのを防止する。このばね腕部３４５が後本体部片３０５のスロットの中へ嵌り、急速解放レバー３０５へ圧力を加えるので、レバーはユーザーによって押し下げられるまでは自由にならない。ばね３３５が後本体部片３０５及び歯車３４０と接面している。ばね３３５の先端３３６は後本体部片３０５と接面している。ばね３３３５の他方の先端３３７は歯車３４０の開口３３９と接面している。ユーザーが腕部１１０及び保持部片１２０を一体に押圧すると、腕部端３２０の歯部分３２５が歯車３４０と相互作用する。これが歯車３４０を旋回させ、ばね３３５に旋回からのエネルギーを保持させる。典型的には、これは更に腕部１１０及び保持部片１２０にそれらの間に設置されたスマートフォンを保持させる。以上に指摘されている様に、急速解放レバー３５０は歯付部３３０と相互作用し、急速解放レバー３５０が押し下げられるまでは歯車３４０が反対方向に旋回しないようにする。腕部１１０及び保持部片１２０を押し合せると、ユーザーによって加えられる力がばね腕部３４５を撓ませ歯車３４０が時計回り（図３の視点による）に旋回するのを可能にさせることで、急速解放レバー３５０は「ラチェット運動」することになる。急速解放レバー３５０を押し下げることによって、反時計回りの運動が許容され、それがばね３４０の蓄えられたエネルギーを解き放ち腕部１１０及び保持部片１２０を自由にさせて外向きに中央ハウジング１０５から離れさせる。ここでの説明は２本の腕部を使用することに向けられているが、システムは１本の腕部だけを使用していてもよく、この事例でいうと急速解放レバー３５０と相互作用する上腕部だけを使用していてもよい。加えて、１つ又はそれ以上の１本腕型又は２本腕型のシステムが組み合わされていてもよいし、同じく複数システムが１つの固定面を利用していてもよい。
【００１１】
[0018]更に図３には、中央ハウジング１０５を一体に保持するねじ３１１が示されている。加えて、腕部端３２０の各々は、腕部１００の対向する端３２２を受け入れることのできる開口３２１を含んでいる。腕部１１０はこうして開口３２１の中へ望遠鏡式に入れ子になり、腕部１１０の互いとの及び歯車３４０との整列が維持される。
【００１２】
[0019]図４は後本体部片３５０を示している。ここでは、急速解放レバー３５０が後本体部片３０５から突き出ているペグ３５５に嵌め込まれる開口３５２を含んでいるのが分かるだろう。ばね３４５が保持部片３４６と３４７の間に嵌め込まれていて、急速解放レバー３５０へ張力が加えられるようにしている。急速解放レバー３５０へばね３４５によって加えられる引張又は力は、腕部１１０及び保持部片１２０を一体に押し進めてばね３３５上で歯車２４０を旋回させることによってばね３５５が引張されたときのばね３３５の力に抵抗するのに十分でなくてはならない。本図にはペグ３４１も視認できる。歯車３４０はペグ３４１に嵌め込まれている。ばね３３５の先端３３６は後本体部片３０５の開口３３８と接面している。カットアウト３９０が、急速解放レバー腕部３５０がユーザーによって押し下げられ解放されるときに上下に動けるようにしている。
【００１３】
[0020]図５はＡＥＤＨ１００の前面図を示している。図６はＡＥＤＨ１００の後面図を示している。図７はＡＥＤＨ１００の下面図を示している。図８はＡＥＤＨ１００の上面図を示している。
【００１４】
[0021]図９はＡＥＤＨ１００の或る代わりの実施形態を示している。この実施形態では、追加のスペース調整パッド２２５がＡＥＤＨ１００へ付け加えられている。これらのスペース調整パッドはＡＥＤＨへの幅狭デバイスの取り付けを考慮している。スペース調整パッド２２５は、把持区域１２５を受け入れるように位置付けられた相補的な後部リリーフ部を含む把持区域２２６を含んでいる。典型的には、スペース調整パッド２２５は、それに設置されたデバイスの把持を支援することのできるより軟質のゴム引き材料で構成されている。スペース調整パッド２２５は、スペース調整パッド２２５を取り外すことができるように腕部１１０に沿って切れ目２２７を追加的に有していてもよい。こうして、ＡＥＤＨ１００は様々に異なるサイズのデバイスに対応することができる。
【００１５】
[0022]特定の実施形態が以上の詳細な説明に詳述され添付図面に例示されているが、それらの詳細事項に対する様々な修正及び変更が、開示の全体的な教示及びその広範な進歩性のあるコンセプトに鑑みて展開され得るということが当業者には理解されるであろう。したがって、本開示の範囲はここに開示されている特定の実施例及び実施形に限定されるのではなく、付随の特許請求の範囲及びそのありとあらゆる等価物によって定義されているそれの精神及び範囲の内の修正を網羅するものとする。
【符号の説明】
【００１６】
１００  調節可能な電子デバイス保持器（ＡＥＤＨ）
１０５  中央ハウジング
１１０  腕部
１２０  保持部片
１２５  把持区域
１３０  急速解放レバー
２１０  磁性付着機構
２２０  外側の高摩擦環体
２２５  スペース調整パッド
２２６  把持区域
２３０  磁性環体
２４０  内側の高摩擦表面
３０５  後本体部片
３１０  前本体部片
３１１  ねじ
３２０  腕部端
３２１  開口
３２２  端
３２５  歯部分
３３０  歯付部
３３５  ばね
３３６、３３７  ばねの先端
３３８  開口
３３９  開口
３４０  歯車
３４１  ペグ
３４５  ばね腕部
３４６、３４７  保持部片
３５０  急速解放レバー
３５１  歯付部
３５２  開口
３５５  ペグ
３９０  カットアウト
【図１】
2019514306.tif 000003
【図２】
2019514306.tif 000004
【図３】
2019514306.tif 000005
【図４】
2019514306.tif 000006
【図５】
2019514306.tif 000007
【図６】
2019514306.tif 000008
【図７】
2019514306.tif 000009
【図８】
2019514306.tif 000010
【図９】
2019514306.tif 000011
【国際調査報告】
2019514306.tif 000012